(57)【要約】【課題】台板に軸部材抑え部を設けること無く、且つ軸部材を装飾部材とは別体に設けることが可能な可変入賞装置を提供する。【解決手段】始動領域４７に遊技球を誘導する可動片４３と、内部に可動片４３を収容して台板の前面に固定された装飾部材５０と、台板４０と装飾部材５０との間で可動片４３を回転可能に支持する軸部材４５と、を備え、軸部材４５は、台板４０に設けた軸孔４６に一端部を挿入されるとともに、台板４０面の前方で他端部を抜け止め固定されている。【選択図】図５
2014023586.tif 000002
【特許請求の範囲】
【請求項１】
遊技盤面上に台板を介して固定された可動役物を備えた遊技機であって、
前記可動役物は、
始動領域に遊技球を誘導する可動片と、
内部に前記可動片を収容支持して前記台板の前面に固定された支持部材と、
前記台板と前記支持部材との間で前記可動片を回転可能に支持する軸部材と、
を備え、
前記軸部材は、前記台板に設けた軸孔に一端部が挿入されるとともに、前記台板面の前方側で他端部が抜け止め固定されていることを特徴とする遊技機。
【請求項２】
前記支持部材は、前方側のアウター部材と、該アウター部材の内側に配置される後方側のインナー部材と、を備え、
前記軸部材は、前記支持部材側の端部にフランジ部を備え、前記フランジ部が前記アウター部材と前記インナー部材との間で狭持されることにより、前記支持部材に抜け止め固定されることを特徴とする請求項１に記載の遊技機。
【請求項３】
前記軸部材は、前記台板側の端部近傍に前記フランジ部を備え、
前記軸部材は、前記フランジ部のフランジ面が前記台板の前面に当接することにより、前記台板に抜け止め固定されることを特徴とする請求項１に記載の遊技機。
【発明の詳細な説明】
【技術分野】
【０００１】
本発明は、パチンコ遊技機等の遊技機に関する。
【背景技術】
【０００２】
従来、始動入賞口に遊技球が入る度に液晶表示装置などの図柄表示装置により複数種類の図柄が表示され、表示図柄が所定図柄で停止すると大当たり状態になるパチンコ遊技機が知られている。この種のパチンコ遊技機では、始動入賞口として、例えば、遊技盤の盤面中央下部などに可変入賞装置が備えられているものがある。
可変入賞装置は、一対の開閉部材を電気的に作動させて遊技球を内部へ導入不能な形態と導入可能な形態との間を動作可能に構成されている。
可変入賞装置の開閉部材（可動片）は、入賞口を開設した台板と、台板の前面に設けられた支持部材と、の間に橋架された軸部材（回動軸）によって回動可能に軸支されている。
しかし、可動片が回動を繰り返すことにより回動軸が緩み、支持部材や可動片の組み付けにがたつきが生じるという問題がある。従って、可動片の回動によっても回動軸に緩みが生じることがないように、軸部材を抜け止め固定する必要がある。
例えば、特許文献１には、台板や支持部材の裏面に設けた軸止め部によって軸部材を軸止めした可変入賞装置が記載されている。
図７は、従来の可変入賞装置において回動軸の抜け止めを防止する構成を説明する断面図である。
図７に示すように、従来は、可変入賞装置の台板の前面に、開閉部材（可動片）２７１の支持部材を兼ねた装飾部材２６０を設ける場合、可動片２７１を軸支する軸部材２７０の一方の端部を、装飾部材２６０の裏面に設けた抑え部２６０ａに収容して抜け止め固定するとともに、他方の端部を、可変入賞装置台板２４０の裏面に設けた、もう一方の抑え部２４０ａに収容して抜け止め固定するようにしていた。
【先行技術文献】
【特許文献】
【０００３】
【特許文献１】特開２００８−２９５８６３公報
【発明の概要】
【発明が解決しようとする課題】
【０００４】
しかしながら、図７に示す従来の可変入賞装置において、台板前面の意匠を、家電製品の外装の装飾等に幅広く使用されるインモールド成形によって行おうとした場合、以下のような問題があった。
インモールド（ＩＭＲ）成形とは、基材となるインモールド品の一部に樹脂を成形で付着固定させて一体化し、複合部品を作る工法である。
インモールド成形によって台板に装飾を行う場合には、基材となる台板部品に対して樹脂よりなる意匠フィルムを付着固定することにより装飾を行う。
より詳しく説明すると、印刷・蒸着等で図柄を施した意匠フィルムを射出成形金型内に供給し、その状態で、射出成形金型内に真空予圧を成形する。さらに、射出成形時に、熱と圧力を加えることによって図柄が意匠フィルムから剥れ成形品である台板に転写される。
しかしながら、この成型方法が適用可能な否かは、基材の材質や形状によって制限される。台板の表面又は裏面に、軸部材の抑え部を設けようとした場合、通常射出成形金型を構成するキャビティとコアの形状が複雑になり、また成形自体を行うことが出来ない。
従って、軸部材の抑え部を有する可変入賞装置の台板は、インモールド成形によって作製することには大きな不都合あった。
台板に軸部材抑え部を設けずに、軸部材を固定するには、前飾り部から一体的に軸部材を突設し、台板には軸孔のみを設ける手法も考えられるが、樹脂によって軸部材が形成されるために破損の可能性がある等、強度面に問題が懸念される。
以上の問題を鑑みて、本発明は製造し易い遊技機を提供することを目的とする。
【課題を解決するための手段】
【０００５】
上記の課題を解決するために、本発明は、遊技盤面上に台板を介して固定された可動役物を備えた遊技機であって、前記可動役物は、始動領域に遊技球を誘導する可動片と、内部に前記可動片を収容して前記台板の前面に固定された装飾部材と、前記台板と前記装飾部材との間で前記可動片を回転可能に支持する軸部材と、を備え、前記軸部材は、前記台板に設けた軸孔に一端部を挿入されるとともに、前記台板面の前方で他端部を抜け止め固定されている遊技機を特徴とする。
また、本発明は、前記装飾部材は、前方側のアウター部材と、該アウター部材の内側に配置される後方側のインナー部材と、を備え、前記軸部材は、前記装飾部材側の端部に前記フランジ部を備え、前記フランジ部を前記アウター部材と前記インナー部材との間で狭持されることにより、前記装飾部材に抜け止め固定されることを特徴とする。
また、本発明は、前記軸部材は、前記台板側の端部近傍に前記フランジ部を備え、前記軸部材は、前記フランジ部のフランジ面が前記台板の前面に当接することにより、前記台板に抜け止め固定されることを特徴とする。
【発明の効果】
【０００６】
本発明によれば、製造し易いという優れた効果を奏する。
【図面の簡単な説明】
【０００７】
【図１】本発明の実施形態に係るパチンコ遊技機の全体正面図。
【図２】本実施形態の遊技機の遊技制御を行う遊技制御装置の構成を示したブロック図。
【図３】本発明の実施の形態に係る可変入賞装置の概略正面図。
【図４】本発明の第１の実施形態にかかる可変入賞装置（電チュー）の分解斜視図。
【図５】本発明の第１の実施形態に係る可変入賞装置の断面図。
【図６】本発明の第２の実施形態に係る可変入賞装置要部の断面図。
【図７】従来の可変入賞装置において回動軸の抜け止めを防止する構成を説明図。
【発明を実施するための形態】
【０００８】
以下に、図面を参照して、本発明の実施の形態を詳細に説明する。
図１は、本発明の実施形態に係るパチンコ遊技機の全体正面図である。
この図１に示すパチンコ遊技機１は、矩形形状の枠１０１を有し、この枠１０１の窓孔に対して遊技盤１０が着脱可能に取り付けられている。
遊技盤１０の前面側には、図示しないガラス枠が開閉可能に取り付けられている。また遊技盤１０の下部には、遊技球を貯留する図示しない受け皿と、この受け皿の遊技球を発射する操作用ハンドル１０３等が設けられている。
受け皿の上面には、操作手段として例えば遊技者自身に操作を行わせて遊技に対する参加感を演出する演出ボタン１０４が設けられている。また、図示しないが受け皿の上面には、遊技球の購入ボタン、購入取り消しボタン、受け皿内の遊技球を下方から外部に抜くための球抜きボタン等が設けられている。
遊技盤１０の裏面には、液晶画面、主制御基板とサブ制御基板等、遊技の進行、演出に関わる裏部品を組み付けた合成樹脂製の機構板（何れも図示せず）が装着されている。遊技盤１０における遊技領域１０ａの周囲には、外レールＲ１及び内レールＲ２が設けられている。これら外レールＲ１及び内レールＲ２は、操作用ハンドル１０３を操作したときに発射装置から発射された遊技球を遊技領域１０ａの上部に案内したり、アウト口１８に案内したりする。
【０００９】
遊技盤１０のほぼ中央には、画像表示装置１１が配置されている。画像表示装置１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示装置１１の下方には、上始動口１３と、左右一対の開閉爪（可動片）を有する可変入賞装置としての電動式チューリップ（以下、「電チュー」と称する）１７と、が配置されている。
上始動口１３は、遊技球が入賞したときに第１特別図柄表示器２１の第１特別図柄を変動表示させる権利を発生させる。また電チュー１４は、遊技球が入賞したときに第２特別図柄表示器２２の第２特別図柄を変動表示させる権利を発生させる。
このため、上始動口１３の内部には、遊技球の入球を検出する第１始動口スイッチ（ＳＷ）が設けられている。また電チュー１４の内部には、遊技球の入球を検出する第２始動口スイッチ（ＳＷ）が設けられている。
【００１０】
電チュー１４は、普通図柄表示器２３の普通図柄が所定態様で停止したときに所定時間、開成動作するように構成されている。
なお、本実施形態では、上始動口１３及び電チュー１４の内部にそれぞれ別々に始動口ＳＷを設けるようにしているが、始動口ＳＷは共有であってもよい。
画像表示装置１１の左側には、後述する普通図柄表示器２３を作動させるためのゲート１５が設けられている。ゲート１５は、その内部にゲートスイッチが設けられている。
また上始動口１３及び電チュー１４の下方には、特別遊技状態のときに開成状態になる大入賞装置の大入賞口１６が配置されている。
さらに遊技盤１０の遊技領域１０ａには、一般入賞口１７が配置されていると共に、風車や図示しない多数の遊技釘が突設されている。遊技釘は、遊技球の落下速度を遅くすると共に、落下方向を複雑に変化させて遊技進行上の興趣を高めている。
【００１１】
遊技盤１０の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。
第１特別図柄表示器２１及び第２特別図柄表示器２２は、特別図柄を変動表示させ所定時間経過後に当該変動表示を停止させることにより特別図柄が当たりに当選したか否か表示する。
普通図柄表示器２３は、遊技球がゲートＳＷを通過したときに、普通図柄を変動表示させ所定時間経過後に当該変動表示を停止させることにより普通図柄が当たりに当選したか否か表示する。
【００１２】
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化するものとして説明するが、第１特別図柄と第２特別図柄の保留球を入賞順に消化するように構成してもよい
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。
なお、本実施形態では、第１、第２特別図柄表示器２１、２２、普通図柄表示器２３、第１、第２特別図柄保留ランプ２４、２５、及び普通図柄保留ランプ２６を、遊技盤１０の遊技領域外に配置するようにしているがこれはあくまでも一例であり、これらの表示器を遊技盤１０の遊技領域１０ａ内に配置することも勿論可能である。
【００１３】
図２は、本実施形態の遊技機の遊技制御を行う遊技制御装置の構成を示したブロック図である。
この図２に示す遊技制御装置には、遊技の進行を制御する主制御基板として遊技制御基板１１１が設けられている、また副制御基板として、演出制御基板１２１、画像制御基板１３１、ランプ制御基板１４１、払出制御基板１５１等が設けられている。
遊技制御基板１１１は、ＣＰＵ１１２、ＲＯＭ１１３、及びＲＡＭ１１４等を有し、当該遊技機の主たる制御を行う。
【００１４】
遊技制御基板１１１には、上始動口１３内に設けられた第１始動口ＳＷ１３ａ、電チュー１４内に設けられた第２始動口ＳＷ１４ａ、電チュー１４を開閉動作させるための電チューソレノイド（ＳＯＬ）１４ｂ、ゲート１５内に設けられたゲートＳＷ１５ａ、大入賞口１６に入賞した遊技球を検出する大入賞口ＳＷ１６ａが接続されている。また大入賞口１６の開閉扉を開閉動作させるための大入賞口ソレノイド（ＳＯＬ）１６ｂ、普通入賞口ＳＷ１７ａ、第１特別図柄表示器２１、第２特別図柄表示器２２、普通図柄表示器２３、第１特別図柄保留ランプ２４、第２特別図柄保留ランプ２５、普通図柄保留ランプ２６等が接続されている。
また遊技制御基板１１１には、演出制御基板１２１、及び払出制御基板１５１が接続されている。
【００１５】
演出制御基板１２１は、ＣＰＵ１２２、ＲＯＭ１２３、ＲＡＭ１２４、ＲＴＣ（リアルタイムクロック）１２５等を有し、遊技演出全体の制御を行う。
演出制御基板１２１には、画像及び音声の制御を行う画像制御基板１３１、各種ランプ及び可動役物の制御を行うランプ制御基板１４１、第１演出用ボタン検出ＳＷ１０４及び第２演出用ボタン検出ＳＷ１０５、マイク（音声入力装置）１０９が接続されている。
【００１６】
画像制御基板１３１は、ＣＰＵ１３２、ＲＯＭ１３３、ＲＡＭ１３４等を有し、演出制御基板１２１の指示に基づいて、画像及び音声の制御を行う。
ＲＯＭ１３３には、パチンコ遊技機における演出のベースとして画像表示装置１１に表示される背景画像のデータが複数格納されている。本発明の遊技機では、ある条件が満たされた時に、複数の背景画像の中で、表示される背景画像が切り替えられる。
これは本発明の遊技システムにおいて特徴的な構成であり、後に詳しく説明をする。
また、画像制御基板１３１には、画像表示装置１１及びスピーカー（音声出力装置）１０９が接続されている。
ランプ制御基板１４１は、ＣＰＵ１４２、ＲＯＭ１４３、ＲＡＭ１４４等を有し、枠ランプ１４５や盤ランプ１４６、演出役物１４７の制御を行う。
【００１７】
払出制御基板１５１は、ＣＰＵ１５２、ＲＯＭ１５３、ＲＡＭ１５４等を有し、遊技球払出装置の払出モータ１５５、払出球検出ＳＷ１５６、球有り検出ＳＷ１５７、満タン検出ＳＷ１５８等の制御を行う。
払出制御基板１５１には、発射制御基板１８０が接続されている。この発射制御基板１８０は、遊技盤１０の遊技領域１０ａに対して遊技球を発射するためのモータやソレノイドなどで構成された発射部１８５を制御するものである。
発射制御基板１８０は、払出制御基板１５１から遊技球の発射に関する許可或いは不許可の信号を受信し、払出制御基板１５１から遊技球の発射が許可されている状態で、操作用ハンドル１０３に対する遊技者のハンドル操作に基づいて発射部１８５を駆動し、遊技領域１０ａに対して遊技球を所定の時間間隔で打ち出すように制御する。
【００１８】
［第１の実施形態］
図３は、本発明の実施の形態に係る可変入賞装置の概略正面図、図４は、本発明の第１の実施形態にかかる可変入賞装置（電チュー）の分解斜視図、図５は、第１の実施形態に係る可変入賞装置の断面図である。
図３乃至図５に示すように、本実施形態にかかる可変入賞装置は、遊技盤１０の面上に取り付けられた台板４０と、台板４０面に形成された始動口（始動領域）４７と、始動口４７を挟んで配置され始動口４７に遊技球を誘導する一対の可動片（羽根）４３と、台板４０の前面との間に空所を介して固定され、空所内に可動片４３を収容した可動片の支持部材としての装飾部材５０と、台板４０と装飾部材５０との間に橋架されて可動片４３を軸支する軸部材としての軸部材４５と、を備えている。
また、本実施形態において、特に装飾部材５０は、前方側のアウター部材（前飾りアウター）５１と、アウター部材５１の内側に収容される後方側のインナー部材５５と、から構成されている。
【００１９】
また、図４に示すように、その始動口４７の左右両側方には、軸部材４５が後方から挿入され抜止される軸孔４６が穿設されている。さらにその下方には支持部材５０の位置決め手段として図示しない突起が嵌着する一対の位置決め孔６２が開設されている。
また、台板４０の後方には、始動口４７に連通する通路部４８（図５）が形成されると共に、上述した電気的駆動源としてのソレノイド１４ｂが装着される取付枠体８１が設けられている（図５）。
ソレノイド１４ｂの直線的な駆動力を、作動部材８２によって可動片４３を回動させる駆動力として用いることが出来る。
図３に示すように、可動片４３は左右略対称の翼形状をしており、下方には前後方向に貫通する軸孔４３ａが開設され、軸孔４３ａに軸部材４５が遊嵌されることにより、各可動片４３はこの軸部材４５を中心として回動自在に装着される。
【００２０】
図４、図５に示すように、可動片４３の裏面側には、軸孔４３ａに対して内方かつ下方に偏心した位置に、操作部として軸状のピン部４３ｂが一体的に突設されている。
ピン部４３ｂは、図５に示すように台板４０の後方において、ピン部４３ｂは台板４０に開設した、始動口４７と連通するガイド孔４９を介して作動部材８２に係合しており、ソレノイド１４ｂの駆動力を、作動部材８２を介して伝達されて、可動片４３を回動させる。
なお、ピン部４３ｂの軌道は、軸部材４５を中心として内方に移動しながら上方に回動する円弧状である。
【００２１】
支持部材５０は、合成樹脂により可動片４３の下部を囲うように前板部５０ａと、可動片間を通過した遊技球が落下して、始動口４７に案内される皿状の底部５０ｂと、を有する。
前板部５０ａの前面に装飾効果を高める装飾部材としての装飾シールを貼り付け可能となっている。
なお、本実施例の場合、インナー部材５５の底部が、支持部材５０の底部５０ｂである。
ソレノイド１４ｂは、取付枠体８１に水平に配置されており、図示しないスプリングを装着したプランジャ８０ａが前後方向に水平に進退動するようになっており、プランジャ８０ａの前端部にフランジにより連係部８０ｂが形成されている。そして、この連係部８０ｂに作動部材８２の従動ピン８２ａが収容保持されてソレノイド１４ｂと作動部材８２が連係され、ソレノイド１４ｂの駆動力が作動部材８２を介して可動片４３に伝達される。
【００２２】
図５に示すように、軸部材４５は、装飾部材５０側の端部４５ａにフランジ部４５ａを備えている。
そして、軸部材４５は、アウター部材５１とインナー部材５５との間に、フランジ部４５ａを挟持されることにより、装飾部材（支持部材）５０に抜け止め固定される。
さらに、軸部材４５の台板４０側の他端部４５ｂは、台板４０に設けた貫通孔である軸孔４６に挿通されて固定されている。
なお、インナー部材５５は、軸部材４５を収容するための収容穴５６を備えており、台板４０とアウター部材５１間に軸部材４５の橋架する際に、インナー部材５５が干渉しないように構成されている。
また、フランジ部４５ａは、収容穴５６内で両部材５１、５５間に狭持される。
【００２３】
このように、フランジ部４５ａを、アウター部材５１、インナー部材５５間に挟み込むことによって軸部材４５を固定出来るので、台板４０には軸部材の先端を支持するための貫通孔（軸孔）４６を形成するだけで良く、上記の図７の場合とは異なり、裏面側に軸部材４５の抑え部を形成する必要がなくなる。
従って、台板４０の前面に意匠フィルムをインモールド形成することが可能となり、意匠性に富んだ電チューを実現することが出来る。
さらに、アウター部材５１と軸部材４５を別体に構成して、金属製の軸部材を用いることが可能となる。
なお、軸部材４５の台板４０側の適所にフランジ部を設け、そのフランジ面を台板に当接させるようにすれば、さらに強固に軸部材４５を抜け止めすることが出来る。
【００２４】
［第２の実施形態］
次に、本発明の第２の実施形態に係る可変入賞装置の構成について説明する。
図６は、本発明の第２の実施形態に係る可変入賞装置の要部を示す断面図であり、台板、装飾部材、軸部材の構成を示す断面図である。なお、図６では、皿状の底部は図示を省略している。
図６に示すように、第２の実施形態の可変入賞装置は、第１の実施形態とは異なり、装飾部材６０が一部材からなっている。すなわち、インナー部材、アウター部材の２部材から構成されていない。
インナー部材、アウター部材の２部材間に軸部材のフランジ部を挟んで固定する構成に代わり、装飾部材６０の裏面側に軸部材７０の端部を挿入して固定する軸部材抑え部６１を設けている。
【００２５】
本発明の可変入賞装置において装飾部材６０は、意匠フィルムをインモールド形成しないので、裏面側に軸部材抑え部６１を設けることが可能である。
さらに、第１の実施形態と同様に、台板４０には、軸部材７０の他端部を挿入して固定する軸孔（貫通孔）４６を設けている。
加えて、軸部材７０の他端側には、台板の前面に当接するフランジ面を有するフランジ部７１を備えている。
軸部材７０は、装飾部材６０の軸部材抑え部６１と、台板４０の軸孔４６、さらに、フランジ部７１にけるフランジ面の台板４０に対する当接によって、台板・装飾部材間に抜け止め固定される。
この構成によっても、台板４０の裏面側に軸部材抑え部を形成する必要がなく、台板４０における意匠フィルムのインモールド形成に支障が生じることはない。
【符号の説明】
【００２６】
１  パチンコ遊技機、Ｒ１  外レール、Ｒ２  内レール、１０  遊技盤、１０ａ  遊技領域、１１  画像表示装置、１３  上始動口、１３ａ  始動口ＳＷ、１４  電チュー、１４ａ  始動口ＳＷ、１５  ゲート、１５ａ  ゲートＳＷ、１６  大入賞口、１６ａ  大入賞口ＳＷ、１７  一般入賞口、１７ａ  普通入賞口ＳＷ、１８  アウト口、２０  突起、２１  特別図柄表示器、２２  特別図柄表示器、２３  普通図柄表示器、２４  特別図柄保留ランプ、２５  特別図柄保留ランプ、２６  普通図柄保留ランプ、４０  台板、４１  軸部材、４２  始動口、４３  可動片、４３ａ  軸孔、４３ｂ  操作ピン、４４  位置決め孔、４５  軸部材、４５ａ  フランジ部、４５ｂ  他端部、４６  軸孔、４７  入賞開口、４８  通路部、４９  ガイド孔、５０  装飾部材、５０ａ  前板部、５０ｂ  底部、５１  アウター部材、５５  インナー部材、５６  収容穴、６０  装飾部材、７０  軸部材、７１  フランジ部、８０  ソレノイド、８０ａ  プランジャ、８０ｂ  連係部、８１  取付枠体、８２  作動部材、８２ａ  従動ピン、１０３  操作用ハンドル、１０４  演出用ボタン検出ＳＷ、１０５  演出用ボタン検出ＳＷ、１１１  遊技制御基板、１１２  ＣＰＵ、１１３  ＲＯＭ、１１４  ＲＡＭ、１２１  演出制御基板、１２２  ＣＰＵ、１２３  ＲＯＭ、１２４  ＲＡＭ、１３１  画像制御基板、１３２  ＣＰＵ、１３３  ＲＯＭ、１３４  ＲＡＭ、１４１  ランプ制御基板、１４２  ＣＰＵ、１４３  ＲＯＭ、１４４  ＲＡＭ、１４５  枠ランプ、１４６  盤ランプ、１４７  演出役物、１５１  払出制御基板、１５２  ＣＰＵ、１５３  ＲＯＭ、１５４  ＲＡＭ、１５５  払出モータ、１５６  払出球検出ＳＷ、１５７  検出ＳＷ、１５８  満タン検出ＳＷ、１８０  発射制御基板、１８５  発射部、２４０  電チュー台板、２４０ａ  抑え部、２６０  装飾部材、２６０ａ  抑え部、２７１  可動片
【図１】
2014023586.tif 000003
【図２】
2014023586.tif 000004
【図３】
2014023586.tif 000005
【図４】
2014023586.tif 000006
【図５】
2014023586.tif 000007
【図６】
2014023586.tif 000008
【図７】
2014023586.tif 000009